(57)【要約】【課題】監視者が回生電力を利用することによるエレベータ装置の省電力量を容易に確認することができるエレベータ監視装置を得る。【解決手段】状態が力行状態と回生状態とに切り替わるモータを有した巻胴式巻上機と、モータの状態が力行状態である場合にモータに電力を送り、モータの状態が回生状態である場合にモータに発生する電力が送られる蓄電装置と、モータの駆動に連動して昇降するかごとを備えたエレベータ装置を監視するエレベータ監視装置であって、蓄電装置からモータに送られる電力を検出する電力検出装置と、電力検出装置の検出結果に基づいて、蓄電装置からモータに送られる電力量を表示する電力量表示装置とを備えている。【選択図】図２
2013052990.tif 000002
【特許請求の範囲】
【請求項１】
状態が力行状態と回生状態とに切り替わるモータを有した巻胴式巻上機と、前記モータの状態が前記力行状態である場合に前記モータに電力を送り、前記モータの状態が前記回生状態である場合に前記モータに発生する電力が送られる蓄電装置と、前記モータの駆動に連動して昇降するかごとを備えたエレベータ装置を監視するエレベータ監視装置であって、
前記蓄電装置から前記モータに送られる電力を検出する電力検出装置と、
前記電力検出装置の検出結果に基づいて、前記蓄電装置から前記モータに送られる電力量を表示する電力量表示装置と
を備えたことを特徴とするエレベータ監視装置。
【請求項２】
前記電力検出装置は、太陽電池により発生する電力であって前記太陽電池から前記モータに送られる電力をさらに検出し、
前記電力量表示装置は、前記電力検出装置の検出結果に基づいて、前記蓄電装置および前記太陽電池から前記モータに送られる電力量を表示することを特徴とする請求項１に記載のエレベータ監視装置。
【請求項３】
前記蓄電装置と前記モータとの間の送電の方向を表示するエネルギーフロー表示装置をさらに備え、
前記エネルギーフロー表示装置は、前記モータの状態が前記力行状態である場合に、前記蓄電装置から前記モータに電力が送られることを表示し、前記モータの状態が前記回生状態である場合に、前記モータから前記蓄電装置に電力が送られることを表示することを特徴とする請求項１または請求項２に記載のエレベータ監視装置。
【請求項４】
前記エネルギーフロー表示装置は、前記蓄電装置または前記モータに送る電力を発生する太陽電池の電力値が所定の電圧値を超えた場合に、前記太陽電池の電力が前記蓄電装置または前記モータに送られることをさらに表示することを特徴とする請求項３に記載のエレベータ監視装置。
【請求項５】
前記エネルギーフロー表示装置は、前記蓄電装置の充電状態が満充電状態である場合に、前記モータに発生する電力が前記蓄電装置から外部電源装置に切り替えて送られることをさらに表示することを特徴とする請求項３または請求項４に記載のエレベータ監視装置。
【請求項６】
前記エネルギーフロー表示装置は、前記蓄電装置の充電状態が満充電状態である場合に、前記蓄電装置に送る電力を発生する太陽電池の電力が前記蓄電装置から外部電源装置に切り替えて送られることをさらに表示することを特徴とする請求項３ないし請求項５の何れか１項に記載のエレベータ監視装置。
【発明の詳細な説明】
【技術分野】
【０００１】
この発明は、エレベータ装置を監視するエレベータ監視装置に関する。
【背景技術】
【０００２】
従来、エレベータ装置からかごの位置を示す位置情報を取得し、取得した位置情報に基づいて、かごの位置を表示するエレベータ監視装置が知られている（例えば、特許文献１参照）。
【先行技術文献】
【特許文献】
【０００３】
【特許文献１】特開平１０−２３１０６８号公報
【発明の概要】
【発明が解決しようとする課題】
【０００４】
しかしながら、エレベータ監視装置は、エレベータ装置が巻上機のモータに発生する回生電力を利用してかごを移動させる場合に、回生電力を利用することによるエレベータ装置の省電力量を表示することができない。したがって、エレベータ監視装置を利用してエレベータ装置を監視する監視者は、回生電力を利用することによるエレベータ装置の省電力量を確認することができないという問題点があった。
【０００５】
この発明は、監視者が回生電力を利用することによるエレベータ装置の省電力量を容易に確認することができるエレベータ監視装置を提供するものである。
【課題を解決するための手段】
【０００６】
この発明に係るエレベータ監視装置は、状態が力行状態と回生状態とに切り替わるモータを有した巻胴式巻上機と、前記モータの状態が前記力行状態である場合に前記モータに電力を送り、前記モータの状態が前記回生状態である場合に前記モータに発生する電力が送られる蓄電装置と、前記モータの駆動に連動して昇降するかごとを備えたエレベータ装置を監視するエレベータ監視装置であって、前記蓄電装置から前記モータに送られる電力を検出する電力検出装置と、前記電力検出装置の検出結果に基づいて、前記蓄電装置から前記モータに送られる電力量を表示する電力量表示装置とを備えている。
【発明の効果】
【０００７】
この発明に係るエレベータ監視装置によれば、状態が力行状態と回生状態とに切り替わるモータを有した巻胴式巻上機と、モータの状態が力行状態である場合にモータに電力を送り、モータの状態が回生状態である場合にモータに発生する電力が送られる蓄電装置と、モータの駆動に連動して昇降するかごとを備えたエレベータ装置を監視するエレベータ監視装置であって、蓄電装置からモータに送られる電力を検出する電力検出装置と、電力検出装置の検出結果に基づいて、蓄電装置からモータに送られる電力量を表示する電力量表示装置とを備えているので、電力量表示装置は、モータに発生した電力を蓄えた蓄電装置からモータに送られる電力量を表示する。これにより、電力量表示装置には、回生電力を利用することによるエレベータ装置の省電力量が表示される。その結果、監視者は、回生電力を利用することによるエレベータ装置の省電力量を容易に確認することができる。
【図面の簡単な説明】
【０００８】
【図１】この発明の実施の形態１に係るエレベータシステムを示す構成図である。
【図２】図１の表示装置を示す構成図である。
【図３】図１のエレベータ監視装置の動作を示すフローチャートである。
【図４】図２の省電力量表示装置の動作を示すフローチャートである。
【発明を実施するための形態】
【０００９】
実施の形態１．
図１はこの発明の実施の形態１に係るエレベータシステムを示す構成図である。図において、昇降路（図示せず）には、乗客が乗り降りするかご１が昇降可能に設けられている。かご１の上部には、かご１の上部から上方に延びたロープ２が設けられている。ロープ２の上部は、モータ３１を有した巻胴式巻上機３に巻き掛けられている。モータ３１は、状態が力行状態と回生状態とに切り替わるようになっている。力行状態とは、モータ３１に電力が供給されることによりかご１を上昇させる状態である。回生状態とは、かご１が下降する際にモータ３１に発生する起電力を用いて電力を発生する状態である。かご１は、モータ３１の駆動に連動して昇降する。
【００１０】
モータ３１には、モータ３１の回転位置ωｓを検出するエンコーダ装置４が設けられている。エンコーダ装置４が検出するモータ３１の回転位置ωｓの情報は、制御装置５に送られる。制御装置５は、エンコーダ装置４から送られる回転位置ωｓの情報に基づいて、かご１の位置を検出する。また、制御装置５は、エンコーダ装置４から送られる回転位置ωｓの情報に基づいて、かご１が上昇しているのか、または、かご１が下降しているのかを判定する。また、制御装置５は、モータ３１の駆動を制御するようになっている。
【００１１】
巻胴式巻上機３には、送電装置６が電気的に接続されている。送電装置６には、蓄電装置７および太陽電池８が電気的に接続されている。モータ３１の状態が力行状態である場合には、蓄電装置７の電力および太陽電池８の電力が送電装置６を介してモータ３１に送られる。モータ３１の状態が回生状態である場合には、モータ３１に発生する電力が送電装置６を介して蓄電装置７に送られる。送電装置６は、電力が蓄電装置７および太陽電池８からモータ３１に送られる場合には、電力を直流から交流に変換する。また、送電装置６は、電力がモータ３１から蓄電装置７に送られる場合には、電力を交流から直流に変換する。
【００１２】
蓄電装置７には、充電状態検出装置９が電気的に接続されている。充電状態検出装置９は、蓄電装置７の充電状態を検出する。充電状態検出装置９が検出する蓄電装置７の充電状態としては、正常状態、充電不足状態、満充電状態および過充電状態が挙げられる。正常状態とは、蓄電装置７に蓄えられている電力量が、かご１を昇降させることができる最低限の電力量よりも多く、かつ、満充電状態における蓄電装置７に蓄えられている電力量よりも少ない状態である。充電不足状態とは、蓄電装置７に蓄えられている電力量が、かご１を昇降させることができる最低限の電力量に満たない状態である。充電状態検出装置９が検出する蓄電装置７の充電状態の情報は、制御装置５に送られる。
【００１３】
また、蓄電装置７には、充電装置１０が電気的に接続されている。充電装置１０には、交流電源装置（外部電源装置）１１が電気的に接続されている。交流電源装置１１の電力が充電装置１０を介して蓄電装置７に送られるようになっている。充電装置１０は、交流電源装置１１から蓄電装置７への電力の回路を開閉する開閉スイッチ１０１と、交流電源装置１１から蓄電装置７へ送られる電力を交流から直流に変換するコンバータ１０２とを有している。開閉スイッチ１０１は、交流電源装置１１の電力が蓄電装置７に送られるＯＮ位置と、交流電源装置１１から蓄電装置７への送電が遮断されるＯＦＦ位置との間で変位する。図１には、接続線を示していないが、開閉スイッチ１０１の開閉動作は、制御装置５により制御される。
【００１４】
制御装置５は、蓄電装置７の充電状態が充電不足状態であり、モータ３１に発生する電力および太陽電池８の電力が蓄電装置７に送られていない場合には、開閉スイッチ１０１の位置をＯＮ位置にして、交流電源装置１１の電力により蓄電装置７を充電する。また、制御装置５は、開閉スイッチ１０１の位置をＯＮ位置にした後、モータ３１に発生する電力または太陽電池８の電力が蓄電装置７に送られると、開閉スイッチ１０１の位置をＯＦＦ位置にする。
【００１５】
送電装置６および蓄電装置７と太陽電池８との間には、太陽電池電力切替スイッチ１２が設けられている。太陽電池電力切替スイッチ１２は、パワーコンディショナ装置１３を介して、交流電源装置１１に電気的に接続されている。太陽電池電力切替スイッチ１２は、太陽電池８側の接点１２１と、送電装置６および蓄電装置７側の接点１２２と、パワーコンディショナ装置１３側の接点１２３とを有している。太陽電池電力切替スイッチ１２は、接点１２１と接点１２２とを導通させる通常位置と、接点１２１と接点１２３とを導通させる放電位置との間で変位するようになっている。接点１２１と接点１２２とが導通する場合には、接点１２１と接点１２３とは導通しない。接点１２１と接点１２３とが導通する場合には、接点１２１と接点１２２とは導通しない。太陽電池電力切替スイッチ１２の位置が通常位置である場合には、太陽電池８の電力が蓄電装置７に送られ、また、送電装置６を介してモータ３１に送られる。太陽電池電力切替スイッチ１２の位置が放電位置である場合には、太陽電池８の電力がパワーコンディショナ装置１３を介して交流電源装置１１に送られる。図１には、接続線を示していないが、太陽電池電力切替スイッチ１２の切替動作は、制御装置５により制御される。
【００１６】
送電装置６と蓄電装置７との間には、モータ電力切替スイッチ１４が設けられている。モータ電力切替スイッチ１４は、太陽電池電力切替スイッチ１２を介して、パワーコンディショナ装置１３に電気的に接続されている。モータ電力切替スイッチ１４は、蓄電装置７側の接点１４１と、送電装置６側の接点１４２と、パワーコンディショナ装置１３側の接点１４３とを有している。モータ電力切替スイッチ１４は、接点１４１と接点１４２とを導通させる通常位置と、接点１４２と接点１４３とを導通させる放電位置との間で変位するようになっている。接点１４１と接点１４２とが導通する場合には、接点１４２と接点１４３とは導通しない。接点１４２と接点１４３とが導通する場合には、接点１４１と接点１４２とは導通しない。モータ電力切替スイッチ１４の位置が通常位置である場合には、送電装置６と蓄電装置７との間で電力が送受される。モータ電力切替スイッチ１４の位置が放電位置である場合には、モータ３１に発生する電力がパワーコンディショナ装置１３を介して交流電源装置１１に送られる。図１には、接続線を示していないが、モータ電力切替スイッチ１４の切替動作は、制御装置５により制御される。
【００１７】
制御装置５は、蓄電装置７の充電状態が満充電状態である場合には、太陽電池電力切替スイッチ１２を放電位置に変位させ、さらに、モータ電力切替スイッチ１４を放電位置に変位させる。また、制御装置５は、蓄電装置７の充電状態が正常状態または充電不足状態である場合には、太陽電池電力切替スイッチ１２を通常位置に変位させ、さらに、モータ電力切替スイッチ１４を通常位置に変位させる。
【００１８】
太陽電池８と接点１２１との間には、接点１２１から太陽電池８に向かって電流が流れることを防止するダイオード１５が設けられている。ダイオード１５により、モータ３１に発生する電力が太陽電池８に流れることが防止される。
【００１９】
接点１２３と接点１４３との間には、接点１２３から接点１４３に向かって電流が流れることを防止するダイオード１６が設けられている。ダイオード１６により、交流電源装置１１の電力が、パワーコンディショナ装置１３を介して送電装置６に流れることが防止される。
【００２０】
太陽電池８に発生した電力は、かご操作盤および乗場操作盤を含んだ操作機器１７に送られるようになっている。太陽電池８と操作機器１７との間には、操作機器１７から太陽電池８に向かって電流が流れることを防止するダイオード１８が設けられている。
【００２１】
太陽電池８は、太陽電池８が発生する電力の電圧を検出する電圧検出装置８１を有している。太陽電池８は、太陽電池８に発生する電力の電圧値が所定の電圧値を超えた場合に、電力を供給する。図１には、接続線を示していないが、電圧検出装置８１が検出する太陽電池８の電圧値の情報は、制御装置５に送られる。
【００２２】
エレベータ装置は、かご１、ロープ２、巻胴式巻上機３、エンコーダ装置４、制御装置５、送電装置６、蓄電装置７、太陽電池８、充電状態検出装置９、充電装置１０、交流電源装置１１、太陽電池電力切替スイッチ１２、パワーコンディショナ装置１３、モータ電力切替スイッチ１４、ダイオード１５、ダイオード１６、操作機器１７およびダイオード１８から構成されている。
【００２３】
エレベータ装置を監視するエレベータ監視装置は、蓄電装置７からモータ３１に送られる電力および太陽電池８からモータ３１に送られる電力を検出する電力検出装置１９と、蓄電装置７および太陽電池８からモータ３１に送られる電力量を算出する電力量算出装置２０と、蓄電装置７および太陽電池８からモータ３１に送られる電力量が目標電力量に達したか否かを判定する判定装置２１と、エレベータ装置の状態を表示する表示装置２２とを備えている。
【００２４】
電力量算出装置２０には、電力検出装置１９の検出結果が送られるようになっている。電力量算出装置２０は、電力検出装置１９の検出結果を積算して、蓄電装置７および太陽電池８からモータ３１に送られる電力量を算出する。
【００２５】
電力量算出装置２０の算出結果は、判定装置２１および表示装置２２に送られるようになっている。判定装置２１は、電力量算出装置２０の算出結果と予め設定された目標電力量とを比較する。判定装置２１は、電力量算出装置２０が算出する電力量が目標電力量よりも大きい場合には、目標が達成されたことを示す達成信号を表示装置２２に送る。また、判定装置２１は、電力量算出装置２０が算出する電力量が目標電力量に達していない場合には、目標が達成されていないことを示す未達成信号を表示装置２２に送る。
【００２６】
表示装置２２は、制御装置５に電気的に接続されている。図２は図１の表示装置２２を示す構成図である。表示装置２２は、かご１の位置を表示する運転表示装置２２１と、送電装置６、蓄電装置７、太陽電池８および交流電源装置１１の間の電力の流れを示すエネルギーフロー表示装置２２２と、エレベータ装置の省電力量を表示する省電力量表示装置（電力量表示装置）２２３とを有している。
【００２７】
制御装置５は、運転表示装置２２１に、かご１の位置の情報を送る。運転表示装置２２１は、制御装置５から送られるかご１の位置の情報に基づいて、かご１の位置を表示する。
【００２８】
制御装置５は、モータ３１の状態を示す情報、太陽電池電力切替スイッチ１２の位置を示す情報、モータ電力切替スイッチ１４の位置を示す情報および太陽電池８に発生する電力の電圧値が所定の電圧値を超えたか否かを示す情報をエネルギーフロー表示装置２２２に送るようになっている。エネルギーフロー表示装置２２２は、モータ３１の状態を示す情報、太陽電池電力切替スイッチ１２の位置を示す情報、モータ電力切替スイッチ１４の位置を示す情報および太陽電池８に発生する電力の電圧値が所定の電圧値を超えたか否かを示す情報に基づいて、モータ３１と、蓄電装置７と、太陽電池８と、交流電源装置１１との間の電力の流れを表示する。
【００２９】
具体的には、エネルギーフロー表示装置２２２は、モータ３１の状態が力行状態である場合に、蓄電装置７からモータ３１に電力が送られることを表示し、モータ３１の状態が回生状態である場合に、モータ３１から蓄電装置７に電力が送られることを表示する。また、エネルギーフロー表示装置２２２は、太陽電池８の電圧値が所定の電圧値を超えた場合に、太陽電池８の電力が蓄電装置７およびモータ３１に送られることを表示する。また、エネルギーフロー表示装置２２２は、蓄電装置７の充電状態が満充電状態である場合に、モータ３１に発生する電力が蓄電装置７から交流電源装置１１に切り替えて送られることを表示する。また、エネルギーフロー表示装置２２２は、蓄電装置７の充電状態が満充電状態である場合に、太陽電池８の電力が蓄電装置７から交流電源装置１１に切り替えて送られることを表示する。
【００３０】
省電力量表示装置２２３は、電力量算出装置２０の算出結果に基づいて、蓄電装置７および太陽電池８からモータ３１に送られる電力量を棒グラフにして表示する。蓄電装置７からモータ３１に送られる電力は、モータ３１の回生電力が蓄電装置７に蓄電された電力であるので、蓄電装置７からモータ３１に送られる電力量は、エレベータ装置の省電力量となる。また、太陽電池８からモータ３１に送られる電力は、交流電源装置１１などの外部の電源装置から入力された電力とは異なるので、太陽電池８からモータ３１に送られる電力量は、エレベータ装置の省電力量となる。つまり、省電力量表示装置２２３は、電力量算出装置２０の算出結果に基づいて、エレベータ装置の省電力量を表示する。
【００３１】
また、省電力量表示装置２２３は、蓄電装置７および太陽電池８からモータ３１に送られる電力量からＣＯ２削減量を算出し、算出したＣＯ２削減量を棒グラフにして表示する。また、省電力量表示装置２２３は、判定装置２１から送られる信号に基づいて、蓄電装置７および太陽電池８からモータ３１に送られる電力量が目標電力量に達しているか否かを表示する。具体的には、省電力量表示装置２２３は、判定装置２１から達成信号が送られる場合には青色に点灯し、判定装置２１から未達成信号が送られる場合には赤色に点灯する。
【００３２】
エレベータシステムは、エレベータ装置およびエレベータ監視装置から構成されている。
【００３３】
次に、エレベータ監視装置の動作について説明する。図３は図１のエレベータ監視装置の動作を示すフローチャートである。図において、まず、運転表示装置２２１、エネルギーフロー表示装置２２２および省電力量表示装置２２３のそれぞれは、初期画面を表示する（ステップＳ１０１）。
【００３４】
その後、制御装置５は、電圧検出装置８１の検出結果に基づいて、太陽電池８の電力値が所定の電圧値を超えたか否かを判定する（ステップＳ１０２）。ステップＳ１０２で、太陽電池８の電力値が所定の電圧値を超えていないと制御装置５が判定すると、ステップＳ１０２が繰り返される。一方、ステップＳ１０２で、太陽電池８の電力値が所定の電圧値を超えたと制御装置５が判定すると、エネルギーフロー表示装置２２２は、太陽電池８の電力が蓄電装置７およびモータ３１に送られることを表示する（ステップＳ１０３）。
【００３５】
その後、制御装置５は、エンコーダ装置４の検出結果に基づいて、かご１が移動したか否かを判定する（ステップＳ１０４）。ステップＳ１０４で、かご１が移動していないと制御装置５が判定すると、ステップＳ１０４が繰り返される。一方、ステップＳ１０４で、かご１が移動したと制御装置５が判定すると、運転表示装置２２１は、かご１の位置を表示する（ステップＳ１０５）。
【００３６】
その後、制御装置５は、エンコーダ装置４の検出結果に基づいて、かご１が上昇したか否かを判定する（ステップＳ１０６）。ステップＳ１０６で、かご１が上昇したと制御装置５が判定すると、エネルギーフロー表示装置２２２は、モータ３１の状態が力行状態であることを表示し（ステップＳ１０７）、さらに、蓄電装置７および太陽電池８のそれぞれの電力がモータ３１に送られることを表示する。一方、ステップＳ１０６で、かご１が上昇していないと制御装置５が判定すると、エネルギーフロー表示装置２２２は、モータ３１の状態が回生状態であることを表示し（ステップＳ１０８）、さらに、モータ３１に発生する電力が蓄電装置７に送られることを表示する。
【００３７】
その後、制御装置５は、充電状態検出装置９の検出結果に基づいて、蓄電装置７の状態が満充電状態であるか否かを判定する（ステップＳ１０９）。ステップＳ１０９で、蓄電装置７の状態が満充電状態ではないと制御装置５が判定すると、ステップＳ１０９が繰り返される。一方、ステップＳ１０９で、蓄電装置７の状態が満充電状態であると制御装置５が判定すると、エネルギーフロー表示装置２２２は、モータ３１から交流電源装置１１への電力の帰還を表示する（ステップＳ１１０）。
【００３８】
次に、省電力量表示装置２２３の動作について説明する。図４は図２の省電力量表示装置２２３の動作を示すフローチャートである。図において、まず、電力検出装置１９は、蓄電装置７からモータ３１に送られる電力および太陽電池８からモータ３１に送られる電力を検出する（ステップＳ２０１）。その後、省電力量表示装置２２３は、エレベータ装置の省電力量およびＣＯ２削減量を表示する（ステップＳ２０２）。
【００３９】
その後、省電力量表示装置２２３は、判定装置２１の判定結果に基づいて、省電力量が目標値以上であるか否かを判定する（ステップＳ２０３）。ステップＳ２０３で、省電力量が目標値以上ではないと省電力量表示装置２２３が判定すると、ステップＳ２０１に戻る。一方、ステップＳ２０３で、省電力量が目標値以上であると省電力量表示装置２２３が判定すると、省電力量表示装置２２３は、省電力量が目標値に達成したことを表示する（ステップＳ２０４）。
【００４０】
以上説明したように、この発明の実施の形態１に係るエレベータ監視装置によれば、状態が力行状態と回生状態とに切り替わるモータ３１を有した巻胴式巻上機３と、モータ３１の状態が力行状態である場合にモータ３１に電力を送り、モータ３１の状態が回生状態である場合にモータ３１に発生する電力が送られる蓄電装置７と、モータ３１の駆動に連動して昇降するかご１とを備えたエレベータ装置を監視するエレベータ監視装置であって、蓄電装置７からモータ３１に送られる電力を検出する電力検出装置１９と、電力検出装置１９の検出結果に基づいて、蓄電装置７からモータ３１に送られる電力量を表示する省電力量表示装置２２３とを備えているので、省電力量表示装置２２３は、モータ３１に発生した電力を蓄えた蓄電装置７からモータ３１に送られる電力量を表示する。これにより、省電力量表示装置２２３には、回生電力を利用することによるエレベータ装置の省電力量が表示される。その結果、監視者は、回生電力を利用することによるエレベータ装置の省電力量を容易に確認することができる。
【００４１】
また、電力検出装置１９は、太陽電池８により発生する電力であって太陽電池８からモータ３１に送られる電力をさらに検出し、省電力量表示装置２２３は、電力検出装置１９の検出結果に基づいて、蓄電装置７および太陽電池８からモータ３１に送られる電力量を表示するので、モータ３１の回生電力に加えて、太陽電池８に発生する電力による電力量も、省電力量として表示される。その結果、監視者は、回生電力および太陽電池８の電力を利用することによるエレベータ装置の省電力量を容易に確認することができる。
【００４２】
また、蓄電装置７とモータ３１との間の送電の方向を表示するエネルギーフロー表示装置２２２をさらに備え、エネルギーフロー表示装置２２２は、モータ３１の状態が力行状態である場合に、蓄電装置７からモータ３１に電力が送られることを表示し、モータ３１の状態が回生状態である場合に、モータ３１から蓄電装置７に電力が送られることを表示するので、監視者は、蓄電装置７とモータ３１との間の送電の方向を容易に確認することができる。
【００４３】
また、エネルギーフロー表示装置２２２は、蓄電装置７またはモータ３１に送る電力を発生する太陽電池８の電力値が所定の電圧値を超えた場合に、太陽電池８の電力が蓄電装置７またはモータ３１に送られることをさらに表示するので、監視者は、蓄電装置７と、モータ３１と、太陽電池８との間の送電の方向を容易に確認することができる。
【００４４】
また、エネルギーフロー表示装置２２２は、蓄電装置７の充電状態が満充電状態である場合に、モータ３１に発生する電力が蓄電装置７から交流電源装置１１に切り替えて送られることをさらに表示するので、監視者は、回生電流が交流電源装置１１に放出されることを容易に確認することができる。
【００４５】
また、エネルギーフロー表示装置２２２は、蓄電装置７の充電状態が満充電状態である場合に、蓄電装置７に送る電力を発生する太陽電池８の電力が蓄電装置７から交流電源装置１１に切り替えて送られることをさらに表示するので、監視者は、太陽電池８の電力が交流電源装置１１に放出されることを容易に確認することができる。
【００４６】
なお、上記実施の形態１では、充電装置１０を備えたエレベータ装置について説明したが、充電装置１０を備えないエレベータ装置であってもよい。
【符号の説明】
【００４７】
１  かご、２  ロープ、３  巻胴式巻上機、４  エンコーダ装置、５  制御装置、６  送電装置、７  蓄電装置、８  太陽電池、９  充電状態検出装置、１０  充電装置、１１  交流電源装置（外部電源装置）、１２  太陽電池電力切替スイッチ、１３  パワーコンディショナ装置、１４  モータ電力切替スイッチ、１５  ダイオード、１６  ダイオード、１７  操作機器、１８  ダイオード、１９  電力検出装置、２０  電力量算出装置、２１  判定装置、２２  表示装置、３１  モータ、８１  電圧検出装置、１０１  開閉スイッチ、１０２  コンバータ、１２１  接点、１２２  接点、１２３  接点、１４１  接点、１４２  接点、１４３  接点、２２１  運転表示装置、２２２  エネルギーフロー表示装置、２２３  省電力量表示装置（電力量表示装置）。
【図１】
2013052990.tif 000003
【図２】
2013052990.tif 000004
【図３】
2013052990.tif 000005
【図４】
2013052990.tif 000006